(57)【要約】【課題】壁体を構築するための従来工法における工程の省略と、簡単な施工で高い精度と安全性を実現する建築用ブロックを提供する。【解決手段】互いに対峙して略平行に配置された一対のパネル部が、該パネル部の対向面で連結部を介して連結されており、前記一対のパネル部は、長方形の端部において一部が長さ方向に突出した嵌合部が設けられ、前記各パネル部の上端及び下端にその長さ方向に沿って、上下に重ね合わせたときに下方に位置するパネル部の上端の一部と上方に位置するパネル部の下端の一部が互いに係合するように形成した係合部を有することを特徴とするブロック。【選択図】図１
2018168626.tif 000002
【特許請求の範囲】
【請求項１】
互いに対峙して略平行に配置された一対のパネル部が、該パネル部の対向面で連結部を介して連結されており、
前記一対のパネル部は長方形であり、その端部において一部が長さ方向に突出した嵌合部が設けられ、
前記各パネル部の上端及び下端にその長さ方向に沿って、上下に重ね合わせたときに下方に位置するパネル部の上端の一部と上方に位置するパネル部の下端の一部が互いに係合するように形成した係合部
を有することを特徴とするブロック。
【請求項２】
前記一対のパネル部は、垂線方向から見て略同一形状であり、長方形の一端の嵌合部は上側の一部が長さ方向に突出している載せ部であり、他端の嵌合部は下側の一部が逆の長さ方向に突出した受け部であり、
ブロックを長さ方向の左右に連結したときに前記受け部と前記載せ部が面として接続されるように形成されており、
ブロックを組み合わせたときに直線の壁面を形成する直列用ブロックである、請求項１に記載のブロック。
【請求項３】
前記一対のパネル部において、パネル部の一方は前記嵌合部がないまたは他方よりも短く、かつ他方のパネル部の前記嵌合部はパネル部の上側にあり、さらにブロックの厚み方向に突出して開口部を形成しているコーナー用載せ部を有する第一コーナー用ブロックであって、
前記コーナー用載せ部は、前記一対のパネル部において、パネル部の一方は前記嵌合部がないまたは他方よりも短く、かつ他方のパネル部の前記嵌合部はパネル部の下側にあり、さらにブロックの厚み方向に突出して開口部を形成しているコーナー用受け部を有する第二コーナー用ブロックと組み合わせて、前記コーナー用載せ部及び前記コーナー用受け部の前記各開口部が塞がるように角度をつけて配置したときに、前記コーナー用受け部と互いに嵌合されてコーナーを形成する構造を有する、
請求項１に記載のブロック。
【請求項４】
前記一対のパネル部において、パネル部の一方は前記嵌合部がないまたは他方よりも短く、かつ他方のパネル部の前記嵌合部はパネル部の下側にあり、さらにブロックの厚み方向に突出して開口部を形成しているコーナー用受け部を有する第二コーナー用ブロックであって、
前記コーナー用受け部は、前記一対のパネル部において、パネル部の一方は前記嵌合部がないまたは他方よりも短く、かつ他方のパネル部の前記嵌合部はパネル部の上側にあり、さらにブロックの厚み方向に突出して開口部を形成しているコーナー用載せ部を有する第一コーナー用ブロックと組み合わせて、前記コーナー用載せ部及び前記コーナー用受け部の前記各開口部が塞がるように角度をつけて配置したときに、前記コーナー用載せ部と互いに嵌合されてコーナーを形成する構造を有する、
請求項１に記載のブロック。
【請求項５】
請求項３及び４に記載のブロックを組み合わせてなるブロック複合体。
【請求項６】
請求項１に記載のブロックを複数組み合わせてなるフレームであって、
複数のブロックは少なくとも
前記一対のパネル部が垂線方向から見て略同一形状であり、長方形の一端の嵌合部は上側の一部が長さ方向に突出している載せ部であり、他端の嵌合部は下側の一部が逆の長さ方向に突出した受け部であり、ブロックを左右に連結したときに前記受け部と前記載せ部
が面として接続されるように形成されており、ブロックを組み合わせたときに直線の壁面を形成する直列用ブロックと、
前記一対のパネル部において、パネル部の一方は前記嵌合部がないまたは他方よりも短く、かつ他方のパネル部の前記嵌合部はパネル部の上側にあり、さらにブロックの厚み方向に突出して開口部を形成しているコーナー用載せ部を有する第一コーナー用ブロックと、
前記一対のパネル部において、パネル部の一方は前記嵌合部がないまたは他方よりも短く、かつ他方のパネル部の前記嵌合部はパネル部の下側にあり、さらにブロックの厚み方向に突出して開口部を形成しているコーナー用受け部を有する第二コーナー用ブロックを含み、
前記コーナー用載せ部及び前記コーナー用受け部は、前記各開口部が塞がるように互いに嵌合されてコーナーを形成している、
コーナーを有する壁体の建築に用いられるフレーム。
【請求項７】
前記一対のパネル部は、垂線方向から見て略同一形状であり、長方形の一端の嵌合部は上側の一部が長さ方向に突出している載せ部であり、他端の嵌合部は下側の一部が逆の長さ方向に突出した受け部であり、
ブロックを長さ方向の左右に連結したときに前記受け部と前記載せ部が面として接続されるように形成されており、前記受け部及び前記載せ部の長さ方向の端には、それぞれ封止板留め部が設けられており、
前記封止板留め部は、封止板を嵌め込むことによって前記受け部及び前記載せ部の端部を封止できるように構成されている、請求項１に記載のブロック。 
【発明の詳細な説明】
【技術分野】
【０００１】
家屋の壁及び塀、擁壁などの壁体を構築するために主として用いられるブロック及びそれを用いた建築用のフレームに関する。
【背景技術】
【０００２】
従来、ブロック等を組積して壁や塀等を構築する建築物を構築するためには、コンクリート基礎を形成し、空洞ブロックの場合には、その基礎の所定の位置に定着及び立ち上げされた鉄筋をブロックの空洞部分や接合部分に通しながら、ブロック等の端部の目地部分にモルタル等の接着剤を塗ったブロック等を上下、左右の積み重ねを繰り返して立ち上げている。
その際、ブロック等端部に塗られたモルタルの量が横の高さや壁の傾きに大きく影響を与えるため、所定の壁や塀を形成するには、縦の全列と横一段毎に糸を張ってブロック等を一個ずつ微調整しながら積み重ねている（以下、従来工法と呼ぶ）。
また、近年の熟練技術者不足に対応して、熟練を要しない簡単な工法が求められるようになっている。その工法として、モルタルを省略してブロックを積み重ね、積み上げた後にブロック空洞部にモルタル若しくはコンクリートを充填して固める工法（以下、空積み工法と呼ぶ）が採用されている。
【発明の概要】
【発明が解決しようとする課題】
【０００３】
空積み工法では、単純にブロックを乗せていくだけの不安定な壁面なので、倒壊やずれを防止するために支持材での補強または強力な接着剤で接着のいずれかの方法が採用される。ここで、支持材の組み立て費及び解体費または接着剤購入及び塗り手間費が掛かる他、接着剤補強の場合は微調整に難があり、結局欠陥を補うための費用がかさみ建設費軽減の決め手となっていなかった。
また、壁体の端部をブロックで建築する場合、従来の端部用のブロックは端部となる側に最も近い空洞の側面が閉じており、壁体補強用の鉄筋の上からブロックを差し通すように積み上げていく必要があるが、重量のあるブロックを鉄筋の上端まで持ち上げるのは重労働である。
【０００４】
本発明は、この様な状況下為されたものであり、壁体を構築するための従来工法における工程の省略と、簡単な施工で高い精度と安全性を実現する建築用ブロックを提供することを課題とする。
【課題を解決するための手段】
【０００５】
上記課題を解決すべく本発明者が鋭意研究した結果、ブロックの上端と下端に長さ方向に沿って係合部を形成し、左端及び右端に長さ方向に突出した嵌合部を設けたブロックを用いることで、モルタル等の接着剤も倒壊防止用の支持材も不要で空積み工法の工程を省略し、倒壊やずれを防止できることを見出し、本発明を完成させた。すなわち本発明は以下に示すとおりである。
互いに対峙して略平行に配置された一対のパネル部が、該パネル部の対向面で連結部を介して連結されており、前記一対のパネル部は長方形であり、その端部において一部が長さ方向に突出した嵌合部が設けられ、前記各パネル部の上端及び下端にその長さ方向に沿って、上下に重ね合わせたときに下方に位置するパネル部の上端の一部と上方に位置するパネル部の下端の一部が互いに係合するように形成した係合部を有することを特徴とするブロック。
【発明の効果】
【０００６】
本発明によれば、塀や擁壁などの壁体を構築する際に、ブロック等の端部の目地部分にモルタル等の接着剤を塗る工程、及び縦の全列と横一段毎に糸を張ってブロック等を一個ずつ微調整する工程を省略し、かつ高い精度と安全性を実現することができる。
また、本発明によれば、壁体の端部を構築する際に、端部となる側の空洞に壁体補強用の鉄筋を側面から差し入れることができ、建築工程が簡便になる。さらに、重量物であるブロックを高いところまで持ち上げる必要がなくなることから、安全性を実現することができる。
【図面の簡単な説明】
【０００７】
【図１】直列用ブロックの例を示す斜視図である。
【図２】直列用ブロックの例を示す正面図である。
【図３】直列用ブロックの例を示す側面図である。
【図４】第一コーナー用ブロックの例を示す斜視図である。
【図５】第二コーナー用ブロックの例を示す斜視図である。
【図６】コーナーを有する壁体の建築に用いられるフレームの例を示す斜視図である。
【図７】壁面用ブロックの例を示す上面図及び正面図である。
【図８】壁面用ブロックを組み合わせてコーナーを構築した場合の模式図である。
【発明を実施するための形態】
【０００８】
以下、本発明の実施形態を図面に基づいて詳細に説明するが、本発明は具体的な実施形態のみに限定されない。なお、左右とは長さ方向の位置関係を意味する。
本発明は、塀や擁壁などの壁体を構築するために主として用いられるブロックに関するものであり、特に空積み工法に用いることに適したブロックである。
図１に例示するように、互いに対峙して略平行に配置された一対のパネル部１が、該パネル部の対向面で連結部２を介して連結されている。一対のパネル間の距離は、構築する壁体の目的に沿えば特に限定されないが、通常１００ｍｍ〜３００ｍｍであり、好ましくは１５０ｍｍ〜２００ｍｍである。略平行とは、一対のパネルを平行に配置しているもの及び、平行から３°未満傾けて配置しているものを含む。
連結部２の数は、特に限定されないが、２以上であればブロックとして頑強である。また、連結部２をブロックの端部付近には設けず、基礎立ち上がり部に設けられた鉄筋を側面からブロックに差し入れることができるようにするとよい。そうすると、ブロックを鉄筋の上端まで持ち上げることが不要となり、建築工程が簡便かつ安全になる。
【０００９】
図２に例示するように、前記一対のパネル部１は長方形であり、その端部において一部が長さ方向に突出した嵌合部が設けられている。この嵌合部は、ブロックを左右に並べたときに左方にあるブロックの右端の嵌合部と右方にあるブロックの左端の嵌合部が嵌め合うように形成される。この構造により、横に糸を張らなくてもブロック同士を左右方向に嵌め合わせながら並べていくことで、ほぼ直線状に並べることができる。また、ブロック同士は接着していないから、壁体の直線部分を並べた後で微調整を行うことも可能である。左右のブロックを嵌め合わせたときに嵌合部が面として接続されることが好ましい。
【００１０】
図２は本発明の一態様である直列用ブロック１０である。前記一対のパネル部１は、垂線方向から見て略同一形状であり、長方形の一端の嵌合部は上側の一部が長さ方向に突出している載せ部３であり、他端の嵌合部は下側の一部が逆の長さ方向に突出した受け部４となっている。この載せ部３は図２のように上側の約半分の高さで突出していてもよい。また、ここと嵌め合う受け部４は、下側の約半分の高さで突出していてもよい。嵌合部は、ブロックを左右に並べたときに左方にあるブロックの右端の嵌合部と右方にあるブロックの左端の嵌合部が嵌め合うように形成されていればよく、嵌合部の突出の長さ及び高さ
は限定されないが、ブロック長手方向の長さに対し、嵌合部の長さは通常２分の１以下である。
【００１１】
また、本発明の建築用ブロックのパネル間の空洞部には、充填剤を充填することができるので、断熱性、防音性、防火性、防湿性の向上が図られる。充填剤としては、モルタル、コンクリート等が挙げられる。
壁面の端部を構築する場合は、ブロックの嵌合部から端部までの幅及びブロックのパネル間の空洞を封止することができる。封止部材の材質は本発明のブロックと同じでもよいし、異なっていてもよい。封止することで、充填剤をブロックのパネル間に流し込む場合に充填剤が漏れ出ないようにすることができる。
【００１２】
図３に例示するように、前記一対のパネル部１は、前記各パネル部の上端及び下端にその長さ方向に沿って、上下に重ね合わせたときに下方に位置するパネル部の上端の一部と上方に位置するパネル部の下端の一部が互いに係合するように形成した係合部５を有する。この構造により、縦に糸を張らなくても上下のブロックを係合させながら積み上げていくだけで、傾きの少ない壁面とすることができ、建築工程中の安全性を実現することができる。
係合部は、上下に重ね合わせたときに下方に位置するパネル部の上端の一部と上方に位置するパネル部の下端の一部が互いに係合するように構成されていればよく、ブロックのパネル部において上端面の一部が欠ける等して形成され、上に積み上げるブロックのパネル部の下端面の凸部に係合するように設けられていてもよいし、ブロックのパネル部において上端面の外側に長さ方向に沿った帯状の凸部が、上に積み上げるブロックのパネル部の下端面の内側に設けられた長さ方向に沿った帯状の凸部または凹部と係合するように設けられていてもよい。帯状の凸部または凹部である係合部は、ブロックを積み上げた後、充填剤をパネル間に流し込む場合に充填剤が漏れにくいので好ましい。
【００１３】
図４に例示するように、本発明のブロックは、前記一対のパネル部１において、パネル部の一方は前記嵌合部がないまたは他方よりも短く、かつ他方のパネル部の前記嵌合部はパネル部の上側にあり、さらにブロックの厚み方向に突出して開口部６を形成しているコーナー用載せ部７を有する第一コーナー用ブロック２１または２２であってもよい。また、前記一対のパネル部１において、パネル部１の一方は前記嵌合部がないまたは他方よりも短く、かつ他方のパネル部の前記嵌合部はパネル部の下側にあり、さらにブロックの厚み方向に突出して開口部８を形成しているコーナー用受け部９を有する第二コーナー用ブロック３１または３２であってもよい。前記第一コーナー用ブロック２１の前記コーナー用載せ部または前記第二コーナー用ブロック３１の前記コーナー用受け部の前記開口部６及び８が塞がるように角度をつけて配置したときに前記コーナー用載せ部７と前記コーナー用受け部９とが互いに嵌合されてコーナーを形成することが好ましい。第一コーナー用ブロック２１及び第二コーナー用ブロック３１を前記コーナー用載せ部７と前記コーナー用受け部９で嵌め合わせると、コーナーを形成するブロック複合体となる。
第一コーナー用ブロック２１及び第二コーナー用ブロック３１の配置角度は約９０°となる。
第一コーナー用ブロック２１及び第二コーナー用ブロック３１の嵌め合わせの関係は、第一コーナー用ブロック２２及び第二コーナー用ブロック３２の組み合わせにおいても成り立つ。
【００１４】
この構造により、基礎立ち上がり部に設けられたコーナーを補強するための鉄筋をブロックに差し入れる際、ブロックに設けられた開口部に鉄筋を通してから第一コーナー用ブロック及び第二コーナー用ブロックを嵌め合わせることで、ブロックを鉄筋の上端まで持ち上げることが不要となり、建築工程が簡便かつ安全になる。
【００１５】
図６に例示するように、本発明は直列用ブロック１０、第一コーナー用ブロック２１及び２２、並びに第二コーナー用ブロック３１及び３２を複数組み合わせてフレームを構築し、コーナーを有する壁体を構築することができる。必要に応じてフレームの端部を封止した上で充填剤を充填してもよい。
コーナーを有する壁体のデザインにより、必要に応じて各ブロックの一部を切り取ってから組み合わせてもよい。例えば、直列用ブロックを横に並べてその内の１個につき直列用ブロック１０の載せ部３を一対のパネルから切り取り、第一コーナー用ブロック２１または２２を直列用ブロック１０が並ぶ線と垂直になるようにコーナー用載せ部７を載せ部３が切り取られた部分に嵌め込むことで、上から見てＴ字となる壁体を構築することができる。
【００１６】
図７は本発明の一態様である壁面用ブロック４０である。壁面用ブロック４０において、前記一対のパネル部１は、垂線方向から見て略同一形状であり、長方形の一端の嵌合部は上側の一部が長さ方向に突出している載せ部３であり、他端の嵌合部は下側の一部が逆の長さ方向に突出した受け部４となっている。この載せ部３は上側の約半分の高さで突出していてもよい。また、ここと嵌め合う受け部４は、下側の約半分の高さで突出していてもよい。前記載せ部３及び前記受け部４の突出した端には、図７のように封止板を差し入れることが可能な封止板留め部３０１または４０１が設けられていてもよい。また、封止板を差し入れても壁面用ブロックを積み上げることができるように、壁面用ブロック４０の載せ部３の下端及び受け部４の上端にも係合部５が設けられていることが好ましい。図８に例示するように、封止板５００を封止板留め部４０１に差し入れた壁面用ブロック４０及び封止板５００を封止板留め部３０１に差し入れた壁面用ブロック４０を交互に直角に積み上げていくことで、コーナーを形成することができる。
【００１７】
封止板は、前記壁面用ブロックの封止板留め部に差し入れて壁面用ブロックの嵌合部の端部を形成することができる。封止板の高さは壁面用ブロックの載せ部または受け部の高さと略同一であり、横幅は壁面用ブロックの一対のパネル間の距離と略同一である。封止板の上端には、壁面用ブロックの載せ部または受け部の上端に設けられた係合部と互いに係合する突出部が設けられていてもよい。
【００１８】
この構造により、基礎立ち上がり部に設けられたコーナーを補強するための鉄筋をブロックに差し入れる際、ブロックの載せ部または受け部の側面より鉄筋を通してから封止板を差し入れ、ブロックを積み上げることで、ブロックを鉄筋の上端まで持ち上げることが不要となり、建築工程が簡便かつ安全になる。
【００１９】
本発明の建築用ブロックは、その使用目的により、例えば金属、木材、樹脂、コンクリート、レンガ、石等の様々な材質で形成することができる。この建築用ブロックは、家屋の壁または塀、擁壁、高速道路等の防音、防風等のための防護壁として利用することができる。
【００２０】
この建築用ブロックを用いて、例えば家屋の壁を構築する場合には、建築用ブロックの上下左右において、嵌合部及び係合部を連接するだけでよく、そのため、壁等の構築を極めて容易に行うことができる。また、この建築用ブロックは外壁面、内壁面を一体化したブロックなので外壁作業、内壁作業等の複数工程がなくなる。そのため、建築に要する工期を短縮できるとともに人手を必要としないため、コストを削減することができる。基礎部分は従来通りのコンクリート施工を必要とするが、壁面の構築自体はブロックを積み上げるという作業なので、専門技術を持たない人でも容易に構築することが可能になる。
【００２１】
ブロック端部に設けられた嵌合部の嵌合によって左右方向への動きを規制でき、しかも、ブロックの上端及び下端に設けられた凸部及び／または凹部の係合によってパネル部の
面に直行する方向の動きも規制できるので、建築用ブロックの構築強度を高くすることができる。
【符号の説明】
【００２２】
１：パネル部、２：連結部、３：載せ部、４：受け部、５：係合部、６：開口部、７：コーナー用載せ部、８：開口部、９：コーナー用受け部、１０：直列用ブロック、２１及び２２：第一コーナー用ブロック、３１及び３２：第二コーナー用ブロック、４０：壁面用ブロック、３０１及び４０１：封止板留め部、５００：封止板
【図１】
2018168626.tif 000003
【図２】
2018168626.tif 000004
【図３】
2018168626.tif 000005
【図４】
2018168626.tif 000006
【図５】
2018168626.tif 000007
【図６】
2018168626.tif 000008
【図７】
2018168626.tif 000009
【図８】
2018168626.tif 000010
【手続補正書】
【提出日】平成30年6月22日(2018.6.22)
【手続補正１】
【補正対象書類名】特許請求の範囲
【補正対象項目名】請求項１
【補正方法】変更
【補正の内容】
【請求項１】
互いに対峙して略平行に配置された一対のパネル部が、該パネル部の対向面で連結部を介して連結されており、
前記一対のパネル部は長方形であり、その端部において一部が長さ方向に突出した嵌合部が設けられ、
前記嵌合部において前記一対のパネル部は互いに連結されず、
前記各パネル部の上端及び下端にその長さ方向に沿って、上下に重ね合わせたときに下方に位置するパネル部の上端の一部と上方に位置するパネル部の下端の一部が互いに係合するように形成した係合部
を有することを特徴とするブロック。